【手続補正書】
【提出日】令和1年5月20日(2019.5.20)
【手続補正１】
【補正対象書類名】明細書
【補正対象項目名】発明の名称
【補正方法】変更
【補正の内容】
【発明の名称】血液サンプル最適化システム及び血液隔離装置
【手続補正２】
【補正対象書類名】特許請求の範囲
【補正対象項目名】全文
【補正方法】変更
【補正の内容】
【特許請求の範囲】
【請求項１】
血液サンプル最適化システムであって、
採血システムであって、
患者の血液サンプルを取り出せるようにするために患者の静脈穿刺用に構成された患者針と、
前記患者針に接続され、前記血液サンプルを運ぶように構成された採血経路と、
前記血液サンプルの後続の部分を採取しかつ収容するために真空採血管を受け入れるように構成されたサンプル針と
を含む採血システムと、
前記患者針と前記サンプル針との間に前記採血経路に沿って接続された血液隔離装置であって、
前記血液サンプルを受け入れるように構成された入口ポートと、
前記入口ポートに接続され、前記血液サンプルの最初の量を受け入れるように構成された隔離チャンバであって、前記血液サンプルの最初の量の少なくとも最初の部分を隔離するように構成された空気透過性血液バリアを含む通気口を有する隔離チャンバと、
前記入口ポートに接続された近位端を有し、前記血液サンプルの後続の部分を受け入れるように構成されたサンプリング流路と
を含み、
前記隔離チャンバ、前記サンプリング流路及び前記入口ポートは、前記血液サンプルの後続の部分が前記隔離チャンバ及び前記隔離チャンバ内に隔離された前記血液サンプルの最初の部分を迂回することを可能にしかつ前記血液サンプルの後続の部分を前記サンプリング流路の遠位端に接続された出口ポートに向かわせるように構成され、前記出口ポートは、前記血液サンプルの後続の部分を前記真空採血管に排出するように構成され、
前記入口ポート、前記出口ポート、前記隔離チャンバ及び前記サンプリング流路を収容しかつ画定するハウジングをさらに含む、血液隔離装置と
を含む、血液サンプル最適化システム。
【請求項２】
前記血液隔離装置の前記隔離チャンバは周囲空気圧であり、前記隔離チャンバは患者の血圧が前記隔離チャンバ内の周囲空気圧に打ち勝つことによって前記血液サンプルの最初の部分を受け入れる、請求項１に記載の血液サンプル最適化システム。
【請求項３】
前記サンプル針は、前記採血経路及び前記サンプリング流路を介した前記患者針へのアクセスを開くために前記真空採血管によって穿孔されるシールを含む、請求項２に記載の血液サンプル最適化システム。
【請求項４】
前記血液隔離装置の前記サンプリング流路は、前記サンプル針を開封する前記真空採血管によって真空圧力下で前記血液サンプルの後続部分を前記入口ポートに進入させる、請求項３に記載の血液サンプル最適化システム。
【請求項５】
前記血液隔離装置の前記空気透過性血液バリアは、血液と接触すると密封する空気透過性材料を含む、請求項１に記載の血液サンプル最適化システム。
【請求項６】
前記採血システムの前記採血経路はチューブを含む、請求項１に記載の血液サンプル最適化システム。
【請求項７】
患者から血液サンプルを取り出せるようにするように構成された患者針と、密封されたサンプル針であって、前記サンプル針を開封しかつ取り出せるようにされた血液サンプルを患者から採取するために真空採血管を受け入れるように適合されたサンプル針とを含む、血液採取システムに接続された血液隔離装置であって、
前記患者針に接続され、患者からの血液サンプルを受け入れるように構成されたた入口ポートと、
前記入口ポートに接続された出口ポートと、
前記入口ポートに接続されかつ空気透過性血液バリアを含む通気口を有する隔離チャンバであって、前記サンプル針が前記真空採血管によって開封される前に前記血液サンプルの最初の部分を受け入れかつ隔離するように構成された隔離チャンバと、
前記入口ポートに接続された近位端を有し、前記血液サンプルの後続の部分を受け入れるように構成されたサンプリング流路と
を含み、
前記隔離チャンバ、前記サンプリング流路及び前記入口ポートは、前記血液サンプルの後続の部分が前記隔離チャンバ及び前記隔離チャンバ内に隔離された前記血液サンプルの最初の部分を迂回することを可能にしかつ前記血液サンプルの後続の部分を前記サンプリング流路の遠位端に接続された前記出口ポートに向かわせるように構成され、
前記入口ポート、前記出口ポート、前記隔離チャンバ及び前記サンプリング流路を収容しかつ画定するハウジングをさらに含む、血液隔離装置。
【請求項８】
前記隔離チャンバは周囲空気圧であり、前記隔離チャンバは患者の血圧が前記隔離チャンバ内の周囲空気圧に打ち勝つことによって前記血液サンプルの最初の部分を受け入れる、請求項７に記載の血液隔離装置。
【請求項９】
前記空気透過性血液バリアは、血液と接触すると密封する空気透過性材料を含む、請求項７に記載の血液隔離装置。
【請求項１０】
前記隔離チャンバは、前記ハウジング内に画定された隔離流路を含む、請求項７に記載の血液隔離装置。
【請求項１１】
血液サンプル最適化システムであって、
採血システムであって、
患者の血液サンプルを取り出せるようにするために患者の静脈穿刺用に構成された患者針と、
前記患者針に接続され、前記血液サンプルを運ぶように構成された採血経路と、
前記血液サンプルの後続の部分を採取しかつ収容するために真空採血管を受け入れるように構成されたサンプル針と
を含む採血システムと、
前記患者針と前記サンプル針との間に前記採血経路に沿って接続された血液隔離装置であって、
前記血液サンプルを受け入れるように構成された入口ポートと、
前記入口ポート及び前記採血システムのサンプル針に接続された出口ポートと、
前記入口ポートに接続され、前記血液サンプルの最初の量を受け入れるように構成された隔離チャンバであって、前記血液サンプルの最初の量の少なくとも最初の部分を隔離するように構成された空気透過性血液バリアを含む通気口を有する隔離チャンバと、
前記入口ポートに接続された近位端を有し、前記血液サンプルの後続の部分を受け入れるように構成されたサンプリング流路と
を含み、
前記隔離チャンバ、前記サンプリング流路及び前記入口ポートは、前記血液サンプルの後続の部分が前記隔離チャンバ及び前記隔離チャンバ内に隔離された前記血液サンプルの最初の部分を迂回することを可能にしかつ前記血液サンプルの後続の部分を前記サンプリング流路の遠位端に接続された前記出口ポートに向かわせるように構成され、
前記入口ポート、前記出口ポート、前記隔離チャンバ及び前記サンプリング流路を収容しかつ画定するハウジングをさらに含む、血液隔離装置と
を含む、血液サンプル最適化システム。
【請求項１２】
前記血液隔離装置の前記隔離チャンバは周囲空気圧であり、前記隔離チャンバは患者の血圧が前記隔離チャンバ内の周囲空気圧に打ち勝つことによって前記血液サンプルの最初の部分を受け入れる、請求項１１に記載の血液サンプル最適化システム。
【請求項１３】
前記サンプル針は、前記採血経路を介した前記患者針へのアクセスを開くために前記真空採血管によって穿孔されるシールを含む、請求項１１に記載の血液サンプル最適化システム。
【請求項１４】
前記血液隔離装置の前記空気透過性血液バリアは、血液と接触すると密封する空気透過性材料を含む、請求項１１に記載の血液サンプル最適化システム。
【請求項１５】
前記隔離チャンバは、前記ハウジング内に画定された隔離流路を含む、請求項１１に記載の血液サンプル最適化システム。
【請求項１６】
前記採血システムの前記採血経路はチューブを含む、請求項１１に記載の血液サンプル最適化システム。